(57)【特許請求の範囲】
【請求項１】
水、湯または湯水混合水が供給され、受水部に対して吐水する水栓金具が設けられ、前記受水部の下方に物品収納用のキャビネットが設けられた水栓装置において、
前記キャビネットの内部に引き込まれた給水管および給湯管から供給される水および湯の流量を調整する電動弁、または水、湯または湯水混合水の供給および停止を行う電磁弁のいずれか一方または両方が箱体の内部に密閉して収納され、この箱体が前記キャビネットの内部に取り付けられ、箱体からその内部に連通する排水管が延び、この排水管が前記受水部に接続されている
ことを特徴とする水栓装置。
【請求項２】
前記箱体の内部が仕切り板によって防水エリアと、前記排水管が接続された漏水受けエリアに仕切られ、前記電動弁または前記電磁弁のいずれか一方または両方の電気駆動部が、前記仕切り板に固定されて前記防水エリアに配置され、前記電動弁または前記電磁弁のいずれか一方または両方の弁本体が、前記仕切り板に固定されて前記漏水受けエリアに配置されていることを特徴とする請求項１に記載の水栓装置。
【発明の詳細な説明】
【技術分野】
【０００１】
本発明は、水栓金具を備えた流し台、洗面化粧台などの水栓装置に関する。
【背景技術】
【０００２】
流し台、洗面化粧台などの水栓金具を備えた水栓装置では、吐水の開始および停止を、物体を検知するセンサーの検知情報に基づいて自動的に行えるようにした水栓装置が用いられている。このような水栓装置については、たとえば下記特許文献１に記載されたような自動水栓装置が知られている。
【０００３】
特許文献１に記載された自動水栓装置では、光電センサーやフットセンサーからの給水信号を受けると、駆動制御部に設けられたモーターが正転し、駆動軸を上方に突出させ、弁体を上昇させて自動給水を行う。駆動片がストップピンに当たるとモーターに過電流が流れ、この過電流の検知によって駆動回路部がモーターを停止させる。また、光電センサーやフットセンサーからの止水信号を受けると、モーターは逆転し、弁体を下降させて自動止水を行う。このときにも、駆動片がストップピンに当たるとモーターに過電流が流れ、この過電流の検知によって駆動回路部がモーターを停止させる。
【０００４】
このような自動水栓装置では、モーターを備えた駆動制御部は、防水カバーの内部に収納され、漏水が生じても水が駆動制御部に浸入するのを抑制し、動作安定性を確保するようにしている。
【先行技術文献】
【特許文献】
【０００５】
【特許文献１】特開昭６１−２２１４２８号公報
【発明の概要】
【発明が解決しようとする課題】
【０００６】
しかしながら、特許文献１に記載された自動水栓装置では、漏水の危険性が最も高い弁体は、防水カバーの内部に収納されていない。このため、弁体で漏水が生じた場合には、流し台のシンクタンクの下方に通常設けられる物品収納用のキャビネットの内部が水浸しになる可能性が否めない。
【０００７】
一方、キャビネットの内部に設けられる整水器などの漏水対策としては、電極やフロートなどを設け、その検知に基づいて報知することが一般的に行われている。
【０００８】
しかしながら、そのような漏水対策は、漏水が生じたことを報知するに終始しているため、漏水そのものを止めることはできない。したがって、不在などで報知に気付かないなどのときには、キャビネットの内部が水浸しとなり、２階以上の階上に水栓装置が設置される場合には、階下への漏水という拡大被害に至るケースもあった。
【０００９】
本発明は、以上のとおりの事情に鑑みてなされたものであり、キャビネットの内部に弁装置が設けられる水栓装置において、弁装置に漏水が発生したとしてもキャビネットの内部を濡らすのを抑制することのできる水栓装置を提供することを課題としている。
【課題を解決するための手段】
【００１０】
上記の課題を解決するために、本発明の水栓装置は、水、湯または湯水混合水が供給され、受水部に対して吐水する水栓金具が設けられ、受水部の下方に物品収納用のキャビネットが設けられた水栓装置において、キャビネットの内部に引き込まれた給水管および給湯管から供給される水および湯の流量を調整する電動弁、または水、湯または湯水混合水の供給および停止を行う電磁弁のいずれか一方または両方が箱体の内部に密閉して収納され、この箱体がキャビネットの内部に取り付けられ、箱体からその内部に連通する排水管が延び、この排水管が受水部に接続されていることを特徴とする。
【００１１】
この水栓装置においては、箱体の内部が仕切り板によって防水エリアと、排水管が接続された漏水受けエリアに仕切られ、電動弁または電磁弁のいずれか一方または両方の電気駆動部が、仕切り板に固定されて防水エリアに配置され、電動弁または電磁弁のいずれか一方または両方の弁本体が、仕切り板に固定されて漏水受けエリアに配置されていることが好ましい。
【発明の効果】
【００１２】
本発明の水栓装置によれば、弁装置に漏水が発生したとしてもキャビネットの内部を濡らすのを抑制することができる。
【図面の簡単な説明】
【００１３】
【図１】本発明の水栓装置の第１実施形態を概略的に示した断面図である。
【図２】図１に示した水栓装置の箱体内部を概略的に示した断面図である。
【図３】図１に示した水栓装置に設けられる電動弁の一形態を示した断面図である。
【図４】図１に示した水栓装置に設けられる電磁弁の一形態を示した断面図である。
【図５】本発明の水栓装置の第２実施形態を概略的に示した断面図である。
【発明を実施するための形態】
【００１４】
図１は、本発明の水栓装置の第１実施形態を概略的に示した断面図である。図２は、図１に示した水栓装置の箱体内部を概略的に示した断面図である。
【００１５】
図１に示したように、水栓装置１では、水、湯または湯水混合水が供給される、シンク、ボウルなどの受水部２に対して吐水する水栓金具３が設けられている。水栓金具３は、受水部２の奥側に配置され、受水部２から立ち上げられている。また、水栓金具３は、筒状の胴部４と、胴部４の上端に設けられ、略Ｊ字型に屈曲する吐水管５とを備えている。吐水管５の胴部４と反対側に位置する先端には吐水口６が形成され、吐水口６は、受水部２の上方に対向して配置されている。吐水口６からは、水、湯または湯水混合水が受水部２に向けて吐出可能とされている。
【００１６】
このような水栓金具３には、人の手などの物体を検知するセンサーの検知情報に応じて吐水の開始および停止を行うことのできる自動水栓金具を採用することができる。もちろん、水栓金具３には、人手によるレバー操作により吐水の開始および停止を行う手動式の水栓金具を採用することもできる。
【００１７】
また、水栓装置１では、受水部２の下方に物品収納用のキャビネット７が設けられている。キャビネット７は、中空な箱状のものであり、その内部に、水栓装置１を流し台や洗面化粧台などとして使用する際に必要とされる備品の収納が可能とされている。受水部２の手前側に位置するキャビネット７の前側には、キャビネット７の内部とのアクセスを容易とし、備品の取り出しおよび収納を行うことができるように、開き戸または引き戸などの扉８を設けることができる。扉８は、必要に応じてその一部を引き出しに置き換えることができる。
【００１８】
また、水栓装置１では、キャビネット７の内部に、その底部より給水管９および給湯管１０が引き込まれている。給水管９および給湯管１０の途中には止水栓１１が設けられている。給水管９から供給される水および給湯管１０から供給される湯は、混合され、受水部２での作業などに必要とされる温度に調整されるが、そのために、水および湯の流量を調整する電動弁１２が水栓装置１には設けられている。２つの電動弁１２は、中空な箱体１３の内部に密閉して収納され、箱体１３の上部および箱体１３の高さ方向の中程に配置されている。箱体１３は、キャビネット７の内部の前側に取り付けられている。給水管９および給湯管１０の電動弁１２側の端部は、いずれも箱体１３の内部に収納され、それぞれ電動弁１２に接続されている。また、給水管９および給湯管１０は、電動弁１２側の端部において連結され、所望の流量に調整された水および湯が流れ込み、混合して湯水混合水などを流通する湯水混合配管１４が箱体１３の内部に設けられている。
【００１９】
湯水混合配管１４は、給水管９および給湯管１０との連結部と反対側の端部において電磁弁１５に接続されている。電磁弁１５も電動弁１２と同様に箱体１３の内部に密閉して収納されている。電磁弁１５は、水、湯または湯水混合水の供給および停止を行うものである。電磁弁１５からは吐水管１６が延び、吐水管１６は、箱体１３の外部に引き出され、キャビネット７の内部を通って水栓金具３に接続されている。
【００２０】
また、水栓装置１では、箱体１３からその内部に連通する排水管１７が延び、排水管１７も、吐水管１６と同様に、キャビネット７の内部を通って水栓金具３に接続されている。排水管１７は、箱体１３の後部上端部からキャビネット７の内部に向かって突出している。排水管１７は、受水部２に接続されていればよく、接続位置は特に限定されない。排水管１７は、水栓金具３が備える吐水管５の吐水口６と連通させたり、胴部４の途中に設けることのできる排水口１８に接続したりすることができる。排水口１８に接続する場合には、水栓金具３の胴部４の内部に連結管１９を設けることができる。また、排水管１７は、受水部２に直接接続したり、受水部２に設けることのできるオーバーフロー配管などに接続したりすることもできる。
【００２１】
このような水栓装置１では、給水管９および給湯管１０から供給される水および湯は、箱体１３の内部に密閉して収納された２つの電動弁１２によってそれぞれの流量が、受水部２での作業などに必要とされる温度に対応して調整され、湯水混合配管１４へと流出する。そして、自動水栓金具の場合には、センサーによる物体の検知に基づいて、また、手動式の水栓金具の場合には、レバー操作にしたがって電磁弁１５が開き、水、湯または湯水混合水が吐水管１６を通って水栓金具３に供給される。水栓金具３に供給された水、湯または湯水混合水は、胴部４および吐水管５を通じて吐水口６から受水部２に向けて吐出する。このように、水栓装置１は、水、湯または湯水混合水を供給することができる。
【００２２】
そして、図１に示した水栓装置１では、弁装置として設けられた２つの電動弁１２および電磁弁１５が箱体１３の内部に密閉して設けられているので、仮に電動弁１２および電磁弁１５において漏水が発生したとしても、漏水は箱体１３の内部に留まり、キャビネット７の内部に漏れ出る心配はほとんどない。したがって、キャビネット７の内部が水浸しになることはない。漏水が発生したとしてもキャビネット７の内部を濡らすのを抑制することができる。
【００２３】
しかも、図１に示した水栓装置１では、箱体１３からその内部に連通する排水管１７が延び、排水管１７が受水部２に接続されているので、漏水にともない箱体１３の内部に次第に溜まっていく水は、排水管１７を通じて受水部２へ排水することができる。たとえ電動弁１２および電磁弁１５で漏水が継続して発生しても、水が箱体１３から溢れ出ることはなく、受水部２へと排水することができる。
【００２４】
箱体１３は、図２に示したように、その内部が仕切り板２０によって防水エリア２１と、排水管１７が接続された漏水受けエリア２２に仕切られている。このように、箱体１３の内部を仕切り板２０によって防水エリア２１と漏水受けエリア２２の２つに仕切るのは、電動弁１２がモーターを、電磁弁１５が電磁コイルを備えたものであり、これらのモーターおよび電磁コイルという電気駆動部２３が、漏水によって水没しないようにするためである。
【００２５】
箱体１３には、その内部に内周に沿って突出する取り付けフランジ２４が設けられている。円形または矩形状などの形状とすることのできる仕切り板２０は、取り付けフランジ２４に重合する大きさを有している。仕切り板２０の裏面には、取り付けフランジ２４の内側に入ることのできる大きさを有する胴部２５が突設され、胴部２５の仕切り板２０と反対側に位置する端部には、外側に突出するフランジ部２６が設けられている。そして、仕切り板２０の外周端部、胴部２５およびフランジ部２６で囲まれた部分によって係合部２７を形成し、係合部２７の内側にゴム製などのパッキン２８が取り付けられている。したがって、仕切り板２０は、係合部２７において取り付けフランジ２４に係合し、パッキン２８によって水密性を確保して箱体１３の内部に取り付けられる。こうして、箱体１３は、その内部が仕切り板２０によって防水エリア２１と漏水受けエリア２２に仕切られる。
【００２６】
電動弁１２の電気駆動部２３は、仕切り板２０の表面に固定され、防水エリア２１に配置されている。また、電磁弁１５の電気駆動部２３も、仕切り板２０の表面に固定され、防水エリア２１に配置されている。一方、電動弁１２および電磁弁１５の弁本体２９、すなわち、電気接続されない機構部は、仕切り板２０の裏面に固定され、漏水受けエリア２２に配置されている。したがって、電動弁１２および電磁弁１５に漏水が発生することがあっても、防水エリア２１は水密性が確保されており、漏水する水は、漏水受けエリア２２に留まり、電気駆動部２３が水に濡れたり、水没したりするおそれがなく、電気駆動部２３は、動作安定性を保つことができる。
【００２７】
また、箱体１３では、排水管１７を背板３０に一体に設けることができる。一方、給水管９、給湯管１０および吐水管１６と背板３０との間にはＯリング３１またはパッキンなどを介在させ、水密性を確保する。
【００２８】
図３は、図１に示した水栓装置に設けられる電動弁の一形態を示した断面図である。
【００２９】
電動弁１２の弁本体２９は、図１および図２に示した給水管９または給湯管１０に連通する連通口３２を有する外筒３３と、外筒３３の内部に回動自在に設けられた内筒３４とを備えている。外筒３３および内筒３４は、ともに円筒状の部材であり、各々の側面部には開口３５、３６が形成されている。内筒３４の底部には、外筒３３の底部から外方に突出する回転軸３７が設けられており、回転軸３７は、図２に示した電気駆動部２３としてのモーターの回転軸に減速機構などを介して接続される。回転軸３７の突出を可能とするために、外筒３３の底部には、回転軸３７を通すことのできる貫通孔３８が形成されている。回転軸３７は、貫通孔３８を通じて外筒３３の底部から外方に突出している。
【００３０】
モーターに外部から電気信号が入力されると、モーターの回転力が回転軸３７に伝達され、回転軸３７が回動して内筒３４が、外筒３３の内部を回動する。内筒３４の回動にともない、内筒３４の側面部に形成された開口３６が外筒３３の側面部に形成された開口３５と重なる面積が変化する。開口３５、３６の重なり合う面積が大きいときには、連通口３２を通じて外筒３３、内筒３４の順に流入し、開口３６から流出する水または湯の流量が多くなる。逆に開口３５、３６の重なり合う面積が小さいときには、開口３６から流出する水または湯の流量が少なくなる。このようにして、電動弁１２は、水または湯の流量の調整を行う。
【００３１】
なお、内筒３４の開口３６の下流側は、図１および図２に示した給水管９または給湯管１０を通じて湯水混合配管１４に連通し、連通部３９は、外筒３３の連通口３２よりも下流側に位置している。また、内筒３４の開口３６の大きさは、必ずしも外筒３３の開口３５よりも小さくする必要はなく、開口３５と同じ大きさとすることができる。また、開口３６は、大きさの異なるものを内筒３４の側面部に間隔をあけて形成することもできる。この場合には、外筒３３の開口３５に一致させる開口３６を変えるように内筒３４を回動させて水または湯の流量の調整を行うことができる。
【００３２】
図４は、図１に示した水栓装置に設けられる電磁弁の一形態を示した断面図である。
【００３３】
電磁弁１５は、図２に示した仕切り板２０の表面に固定され、箱体１３の防水エリア２１に配置される電磁コイル４０を電気駆動部２３として備えている。電磁コイル４０は、ボビン４１に電線を巻回して形成されている。電磁コイル４０の両端はターミナル４２に接続されている。電磁コイル４０の中心には固定鉄心であるステータコア４３が設けられている。ステータコア４３に対向してプランジャ４４が設けられ、プランジャ４４は、ボビン４１の内周に形成された摺動ガイド部４５に摺動自在に支持されている。
【００３４】
電磁弁１５の弁本体２９には、図１および図２に示した湯水混合配管１４が接続される流入口４６、吐水管１６に接続される流出口４７および弁座４８が設けられている。また、電気駆動部２３と弁本体２９の境界部には、プランジャ４４を弁座４８に当接する方向に押圧するスプリング４９が設けられ、スプリング４９は、プランジャ４４とステータコア４３の間に配置されている。
【００３５】
このような電磁弁１５では、ターミナル４２に外部から電気信号が入力されると、電磁コイル４０に磁界が発生し、プランジャ４４がスプリング４９の付勢力に抗してステータコア４３側に吸引される。吸引されたプランジャ４４は、摺動ガイド部４５の内部を摺動し、その先端が弁座４８から離れ、電磁弁１５は開く。このとき、流入口４６から水、湯または湯水混合水が流入し、弁座４８を通って流出口４７から吐水管１６に向かって流出し、水、湯または湯水混合水の供給が行われる。一方、電磁コイル４０への通電を停止すると、プランジャ４４は、スプリング４９の付勢力により初期位置に戻り、先端が弁座４８に着座して電磁弁１５は閉じる。水、湯または湯水混合水の供給が停止される。
【００３６】
図５は、本発明の水栓装置の第２実施形態を概略的に示した断面図である。この実施形態において、図１に示した第１実施形態と同一の部位については図５に同一の符号を付し、以下ではその説明を省略する。
【００３７】
図５に示した水栓装置１ａでは、水栓金具３の胴部４の内部に湯水混合部５０が設けられている。このため、湯水混合部５０には、給水管９および給湯管１０が接続されている。また、湯水混合部５０から受水部２およびキャビネット７の内部を通って湯水混合配管５１が設けられ、湯水混合配管５１は、箱体１３の内部に密閉して収納された電磁弁１５に接続されている。箱体１３の内部には電磁弁１５のみが収納され、図１および図２に示した電動弁１２は設けられていない。箱体１３からその内部に連通して延びる排水管１７は、図１に示した水栓装置１と同様に、水栓金具３に接続されている。
【００３８】
したがって、図５に示した水栓装置１ａでも、図１に示した水栓装置１と同様に、弁装置として設けられた電磁弁１５が箱体１３の内部に密閉して設けられているので、仮に電磁弁１５において漏水が発生したとしても、漏水は箱体１３の内部に留まり、キャビネット７の内部に漏れ出る心配はほとんどない。したがって、キャビネット７の内部が水浸しになることはない。漏水が発生したとしてもキャビネット７の内部を濡らすのを抑制することができる。
【００３９】
しかも、図５に示した水栓装置１ａでも、図１に示した水栓装置１と同様に、箱体１３からその内部に連通する排水管１７が延び、排水管１７が水栓金具３に接続されているので、漏水にともない箱体１３の内部に次第に溜まっていく水は、排水管１７を通じて水栓金具３から排水することができる。たとえ電磁弁１５で漏水が継続して発生しても、水が箱体１３から溢れ出ることはなく、受水部２へと排水することができる。
【００４０】
なお、図５に示した水栓装置１ａに設けられる電磁弁１５には、図４に示したものを同様に採用することができ、箱体１３の構成および構造については、図２に示したものを同様に採用することができる。
【００４１】
本発明は、以上の実施形態によって制限されるものではない。受水部、水栓金具およびキャビネットの構成および構造、また、電動弁および電磁弁の構成および構造などの細部については、様々な態様が可能である。
【符号の説明】
【００４２】
１、１ａ  水栓装置
２  受水部
３  水栓金具
７  キャビネット
９  給水管
１０  給湯管
１２  電動弁
１３  箱体
１５  電磁弁
１７  排水管
２０  仕切り板
２１  防水エリア
２２  漏水受けエリア
２３  電気駆動部
２９  弁本体
【図１】
0005824670.tif 000002
【図２】
0005824670.tif 000003
【図３】
0005824670.tif 000004
【図４】
0005824670.tif 000005
【図５】
0005824670.tif 000006